(57)【要約】      （修正有）【課題】製品、特に食品容器を外衝から保護し、製品に関する情報を記載できるスペースを配設した装飾スリーブの提供。【解決手段】装飾スリーブは筒状であって商品容器を入れてその外面を覆う構造になっている。これにより商品及び容器を外衝から保護できる。また、装飾スリーブの表面には、様々な情報を記載するための表示部を形成し、さらにカードを表面に差し込み留め置くためのクリップ機能も有している。【選択図】図２
0003139825.tif 000002
【実用新案登録請求の範囲】
【請求項１】
商品を包装した容器の外カバーにおいて、前記外カバーの表面に物語等の表示部を形成するとともに、前記外カバーの表面にカードを留め置くためのクリップ機能を持たせたことを特徴とする装飾スリーブ。
【請求項２】
前記外カバーの底面左右に商品を包装した容器の底縁を係止する立ち上げ折り返しを形成したことを特徴とする請求項１に記載の装飾スリーブ。
【請求項３】
商品を包装した容器の外カバーにおいて、その外カバー表面或いは内面にはがきが印刷形成されているか、又は外カバー内に葉書を装填していることを特徴とする請求項１〜請求項２のいずれかに記載の装飾スリーブ。
【請求項４】
前記商品を包装した容器は、卵を包装した合成樹脂パックであって、外カバーは前記合成樹脂パックを被覆する角筒の装飾スリーブであることを特徴とする請求項１〜請求項３のいずれかに記載の装飾スリーブ。
【請求項５】
前記外カバーの表面にカードを留め置くためのクリップ機能は、一対の切り込みであって、前記一対の切り込みは、前記カードが前記スリーブの長手横辺に対して傾斜した位置に留まるように切り込まれたことを特徴とする請求項１〜請求項４のいずれかに記載の装飾スリーブ。
【考案の詳細な説明】
【技術分野】
【０００１】
本考案は、商品を入れた箱、パック及び容器の外面を覆う外装である装飾スリーブ（筒体）に関する。
【背景技術】
【０００２】
商品、例えば鶏卵は、通常パックに入れて販売する。しかし、鶏卵パックの形状は凹凸面が多く比較的安定しないし、パックの材質は柔らかいプラスチックであるから、商品の鶏卵が破損することもないとはいえない。
【０００３】
また、鶏卵のパックは、既述の通り卵型の収納部があり凹凸面が多く透明であるから商品に関する情報は法定のものを除き、記載するスペースが少なかった。
これでは商品のアピール性に欠けるし自他商品の差別化を図ることができない。
さらに、生産者がこだわりをもって製品を生産したその方法や製品に対する思い等をメッセージとして消費者に伝えるための表示スペースが少なかった。
【０００４】
そのため、鶏卵のパックでは直接に合成樹脂透明パックの上面にラベルを貼付することが行われている。比較的広いラベルには情報を記載できるからである。
【０００５】
また、商品にメッセージカードを添えるものは散見できるが、メッセージカードは、分離しないように商品と一緒に内部に入れて包装するものが多い。
従来技術では箱の中にメッセージカードを収納した特開２００２−４６７３１「箱入り装飾品」等があるように、通常は、メッセージカードは、包装の内部に装填される。
【特許文献１】特開２００２−４６７３１「箱入り装飾品」
【考案の開示】
【考案が解決しようとする課題】
【０００６】
解決しようとする問題点は、鶏卵のパックなど商品の包装に、生産者がこだわりをもって製品を生産したその方法や製品に対する思い、商品イメージにまつわる物語等をメッセージとして消費者に伝える術やスペースがない点である。また、軟質の合成樹脂パックに入った製品、特に食品を物理的衝撃から保護する点である。
【課題を解決するための手段】
【０００７】
本考案の装飾スリーブは、商品を包装した容器の外カバー或いは外装において、前記外カバーの表面にカードを留め置くためのクリップ機能を持たせたことを特徴とする装飾スリーブである（請求項１）。
【０００８】
前記外カバーの表面全体や各面には、物語等を連続的に記載した表示部を形成している。
【０００９】
商品を包装した容器とは、鶏卵合成樹脂パックのように直接に商品を包装する容器であり、外カバーとはその容器に被せる外側のカバー（筒体  帯体等）即ち装飾スリーブである。
【００１０】
カードとは、長方形などの一枚のメッセージカード（メッセージをプリントした紙片）や、ブランド由来や商品ヒストリーを記載した二つ折りのカード、景品交換カード、等、薄いカード片である。
【００１１】
留め置くためのクリップ機能とは、カードを、「挟む」「止める」機能を有する構造を指し、切り込み、一対の切り込み、隙間を有する細いテープで両端を貼付した構造、折り返し等である。
本考案では、外カバーの任意の面にカードが前記スリーブの横辺に対して傾斜した位置に留まるように切り込まれた切り込みを設け、その切り込み部分にカードの対角を差し込む形態を採用した。
なお、カードを留め置く構造はこれに限定されるものではない。
【００１２】
装飾スリーブという語は、側面から商品が見えて内部が視認できる形態の外カバーを意味する。
【００１３】
前記のように本考案では、商品を包装した容器の外カバー或いは外装において、外カバーの表面にメッセージ、随筆、詩や物語を記する表示部を形成した。
表示部は、角筒体の場合は、各面に連続的に物語を表示し、円筒体の場合は、連続的に物語を綴ってゆくなど、表面を全体的に利用している。
【００１４】
また外カバー或いは外装の任意の内面を葉書の寸法として葉書風に印刷すれば、当該個所をハサミで切り取って葉書として使用することもできるし、外カバーと容器の隙間に葉書を装填して、アンケートや応募葉書を同封することもできる。
【考案の効果】
【００１５】
上記のような構成であるので、本考案の装飾スリーブは次のような技術的効果がある。
Ａ；本考案の装飾スリーブは筒状であって商品容器の外面を覆う構造になっている。
軟質のパックに入った商品及び容器の保護を目的とするプロテクターとして機能する。
Ｂ；装飾スリーブの表面に表示部が形成され、より多くの商品等に関する情報やイメージを記載表現できる。
【００１６】
Ｃ；また、装飾スリーブの表面にカードを留め置くクリップ機能を持たせたので、商品的に丁寧さや面白さを表現できる。
装飾スリーブとなる外カバーの任意の面に、カードの対角に位置する個所に切り込みを入れ、その切り込み部分にカードの対角を差し込む形状とした。
これにより「カードを添えた商品」が表現できる。
なお、装飾スリーブの表に切り込みを形成することは、接着剤等を使用しないでカードを留め置くことができるし、切り込みは製造的にも廉価にできコスト制約の要請にも応じている。
【００１７】
Ｄ；カードにはさらに任意の情報やイメージを記載表現できる。
商品は、カードが添えられ、装飾スリーブ表面に十分な表示部が形成されたものとなり、イメージアップされた商品が提供できる。
【００１８】
Ｅ；前記外カバーの内任意の一面を葉書の寸法とすれば、当該個所をハサミで切り取って葉書として使用することもできる。
【考案を実施するための最良の形態】
【００１９】
本考案の装飾スリーブ（１）は、図１〜図４に示されるように、４面乃至６面を有する角筒状・帯状或いは楕円筒状であって、その筒状部が商品容器の外面を覆う構造となっている。
筒状であるので、両側から商品の端部を視認できる。
図１〜図３では面の数を６面とするもの、図４では４面とするものを示しているが、面数はこれに限定されるものではなく、面一帯で構成した楕円筒状、変形帯状のものも本考案に含まれる。
【００２０】
図１は、商品を包装した容器の外カバーにおいて、前記外カバーの表面に物語等の表示部を形成するとともに、前記外カバーの表面にカードを留め置くためのクリップ機能を持たせた装飾スリーブの斜視図である。
前記外カバーの底面左右に商品を包装した容器の底縁を係止する立ち上げ折り返しを形成し、その外カバーの内面にはがきが印刷形成されているか、又は外カバー内に葉書を装填している。
【００２１】
前記商品を包装した容器は、図３のように、卵を包装した合成樹脂パックであって、その場合の外カバーは前記合成樹脂パックを被覆するように、六角または四角などの角筒の装飾スリーブである。
装飾スリーブと容器は、少なくとも複数の面でしっかりと面接触しており、底面は、容器の底縁を係止する立ち上げ折り返しを形成しているので、一旦容器を挿入して、折り返しを立ち上げると、しっかり一体化して、葉書も容器も脱落することがない。
【００２２】
この実施態様で示す前記外カバーの表面にカードを留め置くためのクリップ機能は、一対の切り込みであって、前記一対の切り込みは、前記カードが前記スリーブの長手横辺に対して傾斜した位置に留まるように切り込まれている。
カードは、一枚のメッセージカード、二枚折のカード、絵カードなどである。
カードの内容は、商品の内容ほか、調理レシピ、生産者メッセージ、トレーサビリテイ表示、ブランド表示、季節のメッセージ、クリスマスカード、年賀挨拶、音の出るカードなど多様に展開できる。
【実施例１】
【００２３】
次にこの考案にかかる装飾スリーブ（１）について、添付した図面に示す実施例に基づいて説明する。
【００２４】
図１は、商品を包装した容器に被せる前の、本考案の実施例１を示すもので容器から見た外カバーである装飾スリーブ（１）の全体を示す斜視図である。
図２は本考案の装飾スリーブ（１）の内面に葉書を印刷したものの実施例２の斜視図である
図３は、鶏卵の透明合成樹脂パックに被せる中途の状態を示す実施例３の斜視図である。
また、図４は装飾スリーブ（１）の四角筒状の実施例４の使用状態を示す斜視図である。
【００２５】
図１で示す通り、本考案の実施例１の装飾スリーブ（１）は、６面筒体であって上面（１１）、右上側面（１２）、右下側面（１３）、底面（１４）、左下側面（１５）および左上側面（１６）を有し、前記上面（１１）、右上側面（１２）、右下側面（１３）、底面（１４）、左下側面（１５）および左上側面（１６）は筒状を形成していてその筒状部に商品（６）を入れた容器（５）をスライドして入れることで商品（６）の外面を覆う構造とした。
上面（１１）、右上側面（１２）、右下側面（１３）、底面（１４）、左下側面（１５）および左上側面（１６）には、上面（１１）から始まり、左上側面（１６）で終わる物語風文章が表示されている。
つまり、上面（１１）〜左上側面（１６）は、夫々表示部（２０）を形成して連続する物語文を表現している
装飾スリーブ（１）の材質は厚紙もしくは段ボール紙が好ましいがそれに限定されるものではない。
【００２６】
商品（６）を包装した容器（５）の外カバーである装飾スリーブ（１）の表面にはカード（２）を留め置くためのクリップ機能を持たせている。
【００２７】
又、前記外カバーである装飾スリーブ（１）の底面（１４）左右に商品を包装した容器の底縁を係止する立ち上げ折り返し（１８）を形成している。
立ち上げ折り返し（１８）は、底面（１４）左右に夫々形成され、容器収納後に折り返される。折り返し（１８）は、折込線（１７ａ）（１７ｂ）（１７ｃ）で形成される。
【００２８】
その外カバーである装飾スリーブ（１）の内面には、葉書（４）が印刷形成されている。
葉書（４）を印刷形成しないときは、商品容器（５）を収納した後に外カバーとの隙間に葉書実物を装填してもよい。
【００２９】
前記商品を包装した容器（５）は、図３のように、卵を包装した合成樹脂パックである。その場合の外カバー形状は、合成樹脂パックを被覆するように、六角筒体の形状が好ましい。
しっかりと面接触しており、底面（１４）は、容器（５）の底縁を係止する立ち上げ折り返し（１８）を形成しているので、一旦容器（５）を挿入して、折り返し（１８）を立ち上げると、しっかり一体化して、葉書実物も容器（５）も脱落することがない。
【００３０】
カード（２）を表面に留め置くためのクリップ機能は、一対の切り込み（３）と切り込み（３０）である。
前記一対の切り込み（３）（３０）は、前記カード（２）が前記スリーブ（１）の長手横辺に対して傾斜した位置に留まるように切り込まれている。
かしげたカード（２）は、水平に配置されるものに比しても雰囲気があり、商品全体のイメージアップに寄与する。
【００３１】
次にカード（２）を留め置く構成について説明する。
図１で示すように上面（１１）にカード（２）が前記スリーブの長手横辺に対して傾斜した位置に留まるように切り込み（３）（３０）を入れ、その切り込み（３）と切り込み（３０）にカード（２）の対角を差し込む形状とした。
切り込み（３）（３０）は平行ではあるが、カード（２）の対角相当位置ではなく傾げた位置になる配置に切り込んでいる。
切り込み（３）（３０）の位置は、右上側面（１２）および左上側面（１６）などの任意の面に形成しても良い。
この構成で、止め具、ホッチキス、接着剤等を使用しないでカード（２）を留め置くことができる。
【００３２】
本考案ではカードを留め置く方法として前記の構成を採ったがこれらに限定されるものではない。
他の方法としては、テープまたは紐で係止する構成がある。
一方、粘着テープで張り付けることや接着剤やのり等で剥離自在に直接貼り付ける構成も考えられるが、剥がれてカードが紛失するとか、接着痕跡が残るなどの問題があり、切り込みやこれと均等な構成となる糸やテープでのクリップが好ましい。
【００３３】
次に容器（５）が装飾スリーブ（１）からずれるのを防止する構成について説明する。
商品（６）を入れた容器（５）はスライドさせて上面（１１）、右上側面（１２）、右下側面（１３）、底面（１４）、左下側面（１５）および左上側面（１６）が形成する筒状部に入れ込んだだけであるが、一定の面接触寸法で設計すれば容器（５）は、通常は外れることはない。しかし万一にも容器（５）がずれて外れることがあってはいけないので、その点を防止するために係止のための折り返し（１８）を設けた。
係止のための折り返し（１８）は、底面（１４）に施した折返線（１７ａ）、（１７ｂ）および（１７ｃ）を折り起こして形成する。
これにより容器（５）を係止のための折り返し（１８）で固定してずれるのを防止する。
【実施例２】
【００３４】
図２の実施例２は、底面（１４）は葉書の寸法となっていて、消費者は右下側面（１３）と左下側面（１５）から底面（１４）を切り取り、当該面を葉書（４）として使用できるようにしたものである。
アンケートや応募葉書として利用できる。
【実施例３】
【００３５】
図３は鶏卵（６）の透明合成樹脂パック（５）に装飾スリーブ（１）を被せる中途の状態を示す実施例３の斜視図である。
切り込み（３）（３０）の位置は、右上側面（１２）の偏った位置に形成している。右上側面（１２）の表面に、カード（２）が差し込まれる形となる。
【００３６】
右上側面（１２）の表面は、積載時も他の商品や部分と接触することがなく、
又商品「鶏卵」が横に並べられたときには、購買者は視線の先方にカード（２）を見ることになり、ディスプレイのうえにおいて有利になる。つまり他の商品は上面に商品名が記載されているが、本考案商品は、上面のほかに側面にも特徴を出すことができるからである。
【００３７】
図３では上面（１１）、右下側面（１３）に、表示部（２０）を形成したものを示している。
商品によっては、前記上面（１１）、右上側面（１２）、右下側面（１３）、底面（１４）、左下側面（１５）および左上側面（１６）の表面の全部に、表示部（２０）を設けて、メッセージ、随筆、物語や詩等を記載している。
表示部（２０）に記載する文章や図柄の内容は限定されない。
例えば製品の製造者の情報、製造過程や製造方法の情報、さらには製品に対する思い等を消費者に宛てて記載すれば、信頼性を獲得でき、他の商品との差別化が図れる。
イメージアップのための表現や、メッセージ性のある文章など、面白い展開が可能である。
【実施例４】
【００３８】
図４で示す実施例４は、四角筒形の装飾スリーブ（１）を示している。
比較的長い六角形の容器（５）の上面と底面に接触して、容器（５）を外衝から保護している。
上面に、カード（２）を少しかしげて配置したもので、表面に一対の切り込み（３）（３０）を設けたものである。切り込み（３）（３０）は、カード（２）を強制的に傾げたかたちでしか差し込めない位置に設けられている。
切り込み（３）（３０）は、両端部に小円孔を設けており、カード（２）が破損しにくくかつ差込み抜き出し易いように切り込んでいる。
【産業上の利用可能性】
【００３９】
本考案の装飾スリーブは以下の点が特徴である。
Ａ；商品及び容器の保護カバーになる。
Ｂ；より多くの商品等に関する情報やイメージを記載表現できる。
Ｃ；装飾スリーブの表面にカードを留め置くクリップ機能を持たせたので、カード装填他、様々な用途に使用できる。
【００４０】
本考案の装飾スリーブは、通常の店舗による陳列販売のほか、インターネット通販におけるプレゼン販売などでは、次のような個性のある重要な利用ができる。
例えば、インターネット販売において、消費者がパソコン上でカードのデザインを選択し任意のメッセージを入力し、それを販売者側でカード作成し贈り物にメッセージカードとして添付して受取人に送付する方法も考えられる。
インターネット上でメッセージを入力してカードを作成して、発送依頼することで、個性あるメッセージを添えた贈り物のビジネスモデルも提案できる。
【００４１】
近年、食の安全に対する消費者の意識が高まるなかで、製品に関する情報開示は商品選択の重要な要素である。製品の物理的衝撃からの保護と製品に関する情報を記載できる本考案の装飾スリーブは、卵、豆腐、野菜、などの安全包装に叶い、情報を良いデザインで合体できるもので、大きな市場があるものと推察される。
食品、贈答品、等の包装に広く利用できる。
【図面の簡単な説明】
【００４２】
【図１】本考案にかかる装飾スリーブの実施例１を示す全体の斜視図である。
【図２】本考案にかかる装飾スリーブの実施例２を示す全体の斜視図である。
【図３】本考案にかかる装飾スリーブの実施例３を示す斜視図である。
【図４】本考案にかかる装飾スリーブの実施例４の使用形態を示す斜視図である。
【符号の説明】
【００４３】
１      装飾スリーブ（外カバー）
２      カード
３      切り込み
３０    切り込み
４      葉書
５      容器
６      商品
１１    上面
１２    右上側面
１３    右下側面
１４    底面
１５    左下側面
１６    左上側面
１７ａ  折返線
１７ｂ  折返線
１７ｃ  折返線
１８    折り返し
【図１】
0003139825.tif 000003
【図２】
0003139825.tif 000004
【図３】
0003139825.tif 000005
【図４】
0003139825.tif 000006
【手続補正書】
【提出日】平成19年12月6日(2007.12.6)
【手続補正１】
【補正対象書類名】図面
【補正対象項目名】図１
【補正方法】変更
【補正の内容】
【図１】
0003139825.tif 000007
【手続補正２】
【補正対象書類名】図面
【補正対象項目名】図２
【補正方法】変更
【補正の内容】
【図２】
0003139825.tif 000008
【手続補正３】
【補正対象書類名】図面
【補正対象項目名】図４
【補正方法】変更
【補正の内容】
【図４】
0003139825.tif 000009